(57)【要約】  【課題】電子機器へ電池で非接触充電動作が可能な充電器において、電池のエネルギを効率よく用いて電子機器への充電を行なう。【解決手段】二次電池ｄ１５４と、ＡＣ／ＤＣアダプタ１７０と、二次電池ｄ１５４と、ＡＣ／ＤＣアダプタ１７０が接続されるとこのアダプタの出力を充電器の電源としアダプタが接続されていない時は二次電池ｄ１５４の出力を電源とする電源切換ＳＷ１５２と、一次コイル１４２と、ドライバー回路１４４と、ＦｌａｓｈＲｏｍ１４０ａと、通信回路ｄ１４６とを有し、電子機器へ電力を送信する際に、電源切換ＳＷ１５２が二次電池ｄ１５４を電源としている時は、通信回路ｄ１４６が受信したＩＤに応じた駆動条件をＦｌａｓｈＲｏｍ１４０ａから読み出し一次コイル１４２を駆動する。【選択図】図１
2011035964.tif 000002
【特許請求の範囲】
【請求項１】
電子機器へ電磁誘導により電力を送ることでこの電子機器の電源である二次電池を非接触で充電する充電器であって、
電池と、
外部電源が接続された場合はこの外部電源の電力を出力し外部電源が接続されない場合は上記電池の電力を出力する電源切換え部と、
電磁誘導により電力を送るためのコイルと、
上記コイルを上記電源切換え部の出力により駆動する駆動回路と、
上記電子電器の機種情報を取得する通信回路と、
電力の送信効率が最大となる上記コイルの駆動条件を上記電子機器或はその電源を特定する情報に対応させて記憶したメモリと、
上記電源切換え部が上記電池の電力を出力している場合に、上記情報に対応する上記コイルの駆動条件を上記メモリから読出し、この読出した駆動条件で上記駆動回路を設定して上記コイルを駆動する制御回路と
を有することを特徴とする充電器。
【請求項２】
上記電池は二次電池であり、
上記充電器は更に上記電池を充電する充電回路を有し、
上記制御部は、上記電源切換え部が外部電源の電力を出力している場合には、上記コイルを駆動すると共に上記充電回路を制御して上記電池への充電動作を行うことを特徴とする請求項１に記載の充電器。
【請求項３】
充電器に内蔵された一次コイルと電子機器に内蔵された二次コイルとを磁気結合させて電磁誘導によりこの充電器からこの電子機器への充電を行なう充電システムであって、
上記電子機器は、
二次電池と、
上記二次コイルから上記充電器からの電力を受信する受信回路と、
上記受信回路の出力から上記二次電池を充電する第一の充電回路と、
上記一次コイルを介して上記充電器と通信を行なう第一の通信回路と、
上記電子機器或はその電源を特定するＩＤを記憶した第一のメモリと、
上記第一の通信回路を制御して上記第一のメモリに記憶された上記ＩＤを上記充電器へ送信し、上記第一の充電回路を制御して上記二次電池を充電する第一の制御回路と、を有し、
上記充電器は、
電池と、
外部電源が接続された場合はこの外部電源の電力を出力し外部電源が接続されない場合は上記電池の電力を出力する電源切換え部と、
上記電子機器へ電力を送るために上記電源切換え部の出力により上記一次コイルを駆動する駆動回路と、
上記一次コイルを介して上記電子電器と通信を行なう第二の通信回路と、
上記充電器から上記電子機器へ電力を送信する際の効率が最大となる上記一次コイルの駆動条件を記憶した第二のメモリと、
上記電源切換え部が上記電池の電力を出力している場合に、上記第二の通信回路が上記電子機器から受信した上記ＩＤに対応する上記一次コイルの駆動条件を上記第二のメモリから読出し、この読出した駆動条件で上記駆動回路を設定して上記一次コイルを駆動する第二の制御回路と
を有することを特徴とする充電システム。
【請求項４】
上記電池は二次電池であり、
上記充電器は更に上記電池を充電する第二の充電回路を有し、
上記第二の制御回路は、上記電源切換え部が外部電源の電力を出力している場合には、上記一次コイルを駆動すると共に上記第二の充電回路を制御して上記電池への充電動作を行うことを特徴とする請求項３に記載の充電システム。
【発明の詳細な説明】
【技術分野】
【０００１】
本発明は、電子機器用の非接触充電装置および非接触充電システムに関する。
【背景技術】
【０００２】
特許文献１に開示された無線電話機（電子機器）は、充電池（二次電池）を電源として動作可能であり、この二次電池はこの電子機器を載置可能な充電器から充電される。充電器から電子機器への充電のための電力供給動作は、充電器に設けられた一次コイルから磁力を生じさせ、電子機器に設けられた二次コイルで受けることで行なわれる。所謂非接触充電、無接点充電と呼ばれる方法で充電器は電子機器の二次電池を充電している。  特許文献２に開示されたデジタルコードレス電話システムにおいては、子機（電子機器）のバッテリ（二次電池）へクレードル（充電器）から充電可能であり、クレードル内部には二次電池を有し、充電器にＡＣ電源から電力が供給できなくても電子機器への充電が出来る。
【先行技術文献】
【特許文献】
【０００３】
【特許文献１】特開平８−１９１８５号公報
【特許文献２】特開平９−４６４０２号公報
【発明の概要】
【発明が解決しようとする課題】
【０００４】
電子機器の一つである電子カメラにおいて近年防水機能を有する機種が存在する。このような電子カメラにおいて防水性を保つためには、電子カメラの内部が外部へ暴露する状況をなるべく排除することが望ましい。例えば電子カメラの電池交換の際には電池蓋を開く必要がありこの際に外部から水や塵等が入る可能性がある。防水性を保つには電池蓋の高い機密性が求められる。そこで機密性を高めるために電池蓋を無くし電子カメラ内部の電池（二次電池）へは非接触充電を行なう方法が考えられる。このような電子カメラでは電池が交換出来ないため充電器はAC電源がない場所でも電池を非接触充電できることが望ましい。そこで充電器内部にも電池を配置しAC電源から充電出来ないときはこの電池から電力を得て充電できる必要がある。非接触充電においては充電器側の一次コイルと電子機器側の二次コイルを近接させて電磁誘導によって電力送信を行なう。このときの電力と送信効率（二次コイルから出力される電力／一次コイルへ入力した電力）との関係を測定すると図６のごとき結果が得られる。一次コイル、二次コイルの電気特性、一次コイルと二次コイルを組み合わせた時の電気的特性が送信する電力に対して一定ではないため送信効率は変化してしまう。電力の送信効率が変化しなければ何れの電力で送信しても問題は無い。しかし、送信効率が変化し、送信効率の最適値があるならば、限られた電気エネルギで電力を送信する為に、この最適値で送信することが望ましい。すなわち電池等の限られた電気エネルギで充電動作させる際にはこの最適値で送信することが望ましい。
【０００５】
そこで発明の目的は、電子機器の二次電池へＡＣ電源と電池とで非接触充電動作が可能な充電器において、電池の電力で非接触充電動作を行う際には電池のエネルギを効率よく利用して電子機器への充電を行なうことである。
【課題を解決するための手段】
【０００６】
本発明の充電器は、電子機器へ電磁誘導により電力を送ることでこの電子機器の電源である二次電池を非接触で充電する充電器であって、電池と、外部電源が接続された場合はこの外部電源の電力を出力し外部電源が接続されない場合は上記電池の電力を出力する電源切換え部と、電磁誘導により電力を送るためのコイルと、上記コイルを上記電源切換え部の出力により駆動する駆動回路と、上記電子電器の機種情報を取得する通信回路と、  電力の送信効率が最大となる上記コイルの駆動条件を上記電子機器の機種情報に対応させて記憶したメモリと、上記電源切換え部が上記電池の電力を出力している場合に、上記機種情報に対応する上記コイルの駆動条件を上記メモリから読出し、この読出した駆動条件で上記駆動回路を設定して上記コイルを駆動する制御回路とを有することを特徴とする充電器である。
【０００７】
本発明の充電システムは、充電器に内蔵された一次コイルと電子機器に内蔵された二次コイルとを磁気結合させて電磁誘導によりこの充電器からこの電子機器への充電を行なう充電システムであって、上記電子機器は、二次電池と、上記二次コイルから上記充電器からの電力を受信する受信回路と、上記受信回路の出力から上記二次電池を充電する第一の充電回路と、上記一次コイルを介して上記充電器と通信を行なう第一の通信回路と、上記電子機器を特定するＩＤを記憶した第一のメモリと、上記第一の通信回路を制御して上記第一のメモリに記憶されたＩＤを上記充電器へ送信し、上記第一の充電回路を制御して上記二次電池を充電する第一の制御回路と、を有し、上記充電器は、電池と、外部電源が接続された場合はこの外部電源の電力を出力し外部電源が接続されない場合は上記電池の電力を出力する電源切換え部と、上記電子機器へ電力を送るために上記電源切換え部の出力で上記一次コイルを駆動する駆動回路と、上記一次コイルを介して上記電子電器と通信を行なう第二の通信回路と、上記充電器から上記電子機器へ電力を送信する際の効率が最大となる上記一次コイルの駆動条件を記憶した第二のメモリと、上記電源切換え部が上記電池の電力を出力している場合に、上記第二の通信回路が上記電子機器から受信したＩＤに対応する上記一次コイルの駆動条件を上記第二のメモリから読出し、この読出した駆動条件で上記駆動回路を設定して上記一次コイルを駆動する第二の制御回路とを有することを特徴とする充電システムである。
【発明の効果】
【０００８】
本発明によれば、電子機器の二次電池へＡＣ電源と電池とで非接触充電動作が可能な充電器おいて、電池の電力で非接触充電動作を行う際には電池のエネルギを効率よく利用することが出来る。
【図面の簡単な説明】
【０００９】
【図１】図１は、本発明の実施の形態に係る電子カメラと充電ドックのシステム構成例を示すブロック図である。
【図２】図２は、図１の充電ドック内の充電ドックコントローラにより実行される処理を示すフローチャートである。
【図３】図３は、図１の電子カメラ内の電源コントローラにより実行される処理を示すフローチャートである。
【図４】図４は、図１の電子カメラ内のシステムコントローラにより実行される処理を示すフローチャートである。
【図５】図５は、図１の充電ドックコントローラのFlash Romに記憶されたテーブルデータを示している。
【図６】図６は、非接触充電動作において充電ドックから電子カメラへ送信される電力と送信効率の関係を示す。
【発明を実施するための形態】
【００１０】
以下、図面を参照して、本発明を実施するための形態について説明する。図１では、電子装置の一例としての電子カメラをあげ、この電子カメラと非接触で充電動作を行う充電ドックとのシステム構成例を示すブロック図が示される。なお充電ドックは充電スタンド、充電クレードルとも呼ばれるが、本説明ではドックの名称を使う。
【００１１】
システムコントローラ１００（以下Ｓｃｎｔ１００と省略して呼ぶ）は電子カメラ１を統括して制御し、その内部はＣＰＵ（不図示）によって制御される複数の機能ブロックから構成され、ＦｌａｓｈＲｏｍ１１６に記録されているプログラムコードに基づき所定の動作を実行する。
【００１２】
撮像素子１０４はＣＣＤ、或はＣＭＯＳ等のイメージセンサで構成され、撮影レンズ１０２によって形成された被写体像を光電変換して画像信号を生成する。撮像素子インターフェース回路１０６（以下撮像素子IF回路１０６と称す）は撮像素子１０４を駆動すると共に撮像素子１０４が出力する画像信号をＡ／Ｄ変換してデジタルデータとしてＳｃｎｔ１００へ出力する。Ｓｃｎｔ１００はこのデジタルデータに所定の画像処理を施して画像データを生成する。
【００１３】
表示回路１０８はモニタ１１０を駆動して画像データを表示する回路である。モニタ１１０は液晶パネル、有機ＥＬパネル等の表示素子から構成され、画像データの表示のほかにアイコン、文字データ等の情報の表示も行なわれる。メモリカード１１２は不揮発性メモリから構成された記憶媒体であってスロット（不図示）よってカメラに着脱可能に保持され、撮影された画像データが格納される。ＳＤＲＡＭ１１４は、撮像素子１０４から得られたデジタルデータの一時記憶、このデータを画像処理する際に必要なワークメモリとして用いられる。
【００１４】
ＦｌａｓｈＲｏｍ１１６は不揮発性の半導体メモリから構成され、Ｓｃｎｔ１００が動作するために必要なプログラムコードの記録、画像データの記録（メモリカード１１２が装着されていない場合）、制御パラメータの記録に使用される。ＵＳＢ(Universal Serial Bus)端子１１８は電子カメラ１と外部機器（例えばパーソナルコンピュータ）との通信に利用される。この端子を利用することで外部機器は通信することで、メモリカード１１２に記憶された画像データの読出し、ＦｌａｓｈＲｏｍ１１６に記憶されたプログラムコード、制御パラメータの書き換え、画像データの読出しも可能となる。更に外部機器はＳｃｎｔ１００を介して電源コントローラ１２２のＦｌａｓｈＲｏｍ１２２ａへのアクセスも可能となる。
【００１５】
補助光源ユニット１１９は、被写体が暗い場合に被写体の輝度を上げるために光を照射する。このユニットは、例えば、高輝度ＬＥＤとその駆動回路から構成されても良いし、キセノン管と昇圧回路とメインコンデンサから構成されたストロボユニットでも良いし、ランプとその駆動回路から構成されても良い。カメラ操作スイッチ１２０は、電子カメラ１の動作を指示するためにユーザによって操作されるスイッチ（ＳＷ）であって、ダイヤルＳＷ、アップダウンＳＷ、レリーズＳＷ、電源ＳＷ、タッチＳＷ等から構成される。
【００１６】
電源コントローラ１２２（（以下Ｐｃｎｔ１２２と省略して呼ぶ）は電子カメラ１の電源を制御する。その内部にＦｌａｓｈＲｏｍ１２２ａを有し、このＦｌａｓｈＲｏｍ１２２ａにはＰｃｎｔ１２２を動作させるために必要なプログラムコード、電源の制御に必要なパラメータ等が記憶されている。電子カメラ１の動作に必要な電力は基本的に二次電池ｃ１３０から供給される。二次電池ｃ１３０としては充電可能なニッケル水素2次電池、リチウムイオン二次電池等が用いられる。ＤＣ／ＤＣコンバータ１３４二次電池ｃ１３０の出力を電子カメラ１を構成する電子回路の電源ラインへ、その回路の動作に適した電圧に変換（降圧或は昇圧）して出力する。
【００１７】
カメラ操作スイッチ１２０の一つである電源ＳＷがＯＮするとＰｃｎｔ１２２は動作を開始し、ＤＣ／ＤＣコンバータ１３４を制御して電子カメラ１の動作に必要な電力を供給する。Ｐｃｎｔ１２２は電子カメラ１が充電ドック２に載置され、充電ドック２から電力供給を受けると、この電力を利用して二次電池ｃ１３０の充電動作を行う。この充電動作は、所謂非接触充電方式（無接点充電方式或は無線充電方式）で実行される。すなわち充電ドック２に設けられた一次コイル１４２から発生した磁気エネルギを電子カメラ１に設けられた二次コイル１３２で受けることで電力送信が行なわれる。またこの二つのコイルを利用して電子カメラ１と充電ドック２との通信動作も行われる。電子カメラ１の底面部に二次コイル１３２は配置され、充電ドック２の上面部（電子カメラ１が載置される部位）に一次コイル１４２は配置され、充電ドック２に電子カメラ１が載置されると、これら２つのコイルは対向し電磁誘導によって充電ドック２からか電子カメラ１への電力の送信が可能となる。
【００１８】
二次コイル１３２から発生した交番電圧は整流回路１２６（電力の受信回路）によって直流電圧に変換され充電回路ｃ１２８へ供給される。充電回路ｃ１２８はＰｃｎｔ１２２の指令に基づき二次電池ｃ１３０への充電動作を行う。整流回路１２６の出力は通信回路１２４へも出力される。充電ドック２から電子カメラ１への情報送信は例えば次のような方法でなされる。一次コイルに印加する電圧の振幅を情報に応じて変化させることで（振幅変調することで）整流回路１２６から出力される電圧が情報に応じて変化する。この変化から通信回路ｃ１２４は情報を検出しＰｃｎｔ１２２へ出力する。また電子カメラ１から充電ドック２への情報送信は例えば次のような方法でなされる。通信回路ｃ１２４は二次コイル１３２に接続された負荷（インピーダンス）を情報に応じて変化させることで（負荷変動することで）情報を充電ドック２へ送信する。この負荷変動を充電ドック２では一次コイル１４２に流れる電流の変化から検出することが出来る。電子カメラ１と充電ドック２との通信方式は、以上に述べた以外の方式、周波数変調方式、位相変調方式、複数の変調方式を組合せた方式を用いてもかまわない。また一次コイル１４２と二次コイル１３２を用いることなく他の方式を用いて通信しても良い。
【００１９】
充電ドックコントローラ１４０（以下Ｄｃｎｔ１４０と省略して呼ぶ）は充電ドック２を統括して制御する。その内部にＦｌａｓｈＲｏｍ１４０ａを有し、このＦｌａｓｈＲｏｍ１４０ａにはＤｃｎｔ１４０を動作させるために必要なプログラムコード、充電ドック２の制御に必要な制御パラメータ等が記憶されている。
【００２０】
充電ドック２の動作に必要な電力は、二つの電力源から供給可能であり、第一電力源（内部電源）は充電ドックの内部に配置された二次電池ｄ１５４であり、第二電力源（外部電源）はＡＣ／ＤＣアダプタ１７０である。二次電池ｄ１５４としてはニッケル水素2次電池、リチウムイオン2次電池、鉛蓄電池等の充電可能な電池が用いられる。また二次電池ｄ１５４を格納する電池室を充電ドック２内に設け、この電池室と規格が適合すれば一次電池であっても利用可能な構成としても良い。ＡＣ／ＤＣアダプタ１７０は商用電源からのＡＣ出力を充電ドック２の動作可能な直流電圧に変換して出力する。
【００２１】
ＡＣ／ＤＣアダプタの出力はＤＣジャック１７２をＤＣプラグ１５０へ接続することで充電ドック２へ供給される。ＤＣジャック１７２がＤＣプラグ１５０へ接続された時は、電源切換SW１５２は、ＡＣ／ＤＣアダプタ１７０を充電ドック２の電源とする為にその出力を充電ドック２内へ供給する。そしてＤＣジャック１７２がＤＣプラグ１５０へ接続されていない時は、電源切換SW１５２は、二次電池ｄ１５４を充電ドックの電源とする為にその出力を充電ドック2内へ供給する。Ｄｃｎｔ１４０はこの電源切換ＳＷ１５２の状態から二次電池ｄ１５４からの電力で動作しているのかＡＣ／ＤＣアダプタ１７０からの電力で動作しているのかを判別できる。この実施例では電源切換ＳＷ１５２の状態で電力の供給元を判別しているが、二次電池ｄ１５４とＡＣ／ＤＣアダプタ１７０の出力電圧の違いを利用して判別しても良い。電源切換え部である電源切換ＳＷ１５２は機械的なスイッチ、半導体スイッチ、リレー等の部材から構成できる。
【００２２】
ＡＣ／ＤＣアダプタ１７０が電源として充電ドック２へ接続されると、その出力は充電回路ｄ１５６へも供給される。充電回路ｄ１５６は二次電池ｄ１５４の充電の為の回路であり充電ドックコントローラ１４０の指令に基づき充電動作を行う。電源切換SW１５２から供給される電力はドライバー回路１４４へ供給され、ドライバー回路１４４は駆動信号（交番信号）を生成して一次コイルへ供給する。この駆動信号によって一次コイルは磁力を生成し、二次コイルは電圧が誘導され電子カメラ１へ電力が供給される。ドライバー回路１４４の駆動信号は駆動信号生成回路１４８から供給される。駆動信号の条件（周波数、振幅等の条件）はＤｃｎｔ１４０によって制御される。
【００２３】
通信回路は、Ｄｃｎｔ１４０の指令に基づき一次コイル１４２を介して電子カメラ１へ情報を送信する為に、そして電子カメラ１からの情報を一次コイル１４２を介して受信する為に在る。情報を送信する際には、駆動信号生成回路１４８を制御して一次コイル１４２へ出力する駆動信号を変調する。情報を受信する際には、通信回路ｄ１４６は一次コイルに流れる電流の変化（負荷変動）から電子カメラ１が送信する情報を検出する。
【００２４】
充電開始スイッチ１５８は、充電ドック２の動作を指示するためにユーザによって操作されるスイッチである。ユーザは電子カメラ１が充電ドック２へ載置し、充電開始スイッチ１５８をＯＮすれば充電動作が出来る。この充電開始スイッチ１５８は電子カメラ１が充電ドック２へ載置されるとＯＮする構成のスイッチとしても良い。ＬＥＤ１６２は充電ドックの動作状態を示す為に存在する表示部材である。ＵＳＢ(Universal Serial Bus)端子１６０は充電ドック２と外部機器（例えばパーソナルコンピュータ）との通信に利用される。この端子を利用することで外部機器は通信することで、ＦｌａｓｈＲｏｍ１４０ａに記憶されたプログラムコード、制御パラメータ等の書き換えが可能となる。
【００２５】
図２に示されたフローチャートは、充電ドック２内のＤｃｎｔ１４０（図１参照）がＦｌａｓｈＲｏｍ１４０ａに記録されたプログラムコードに基づき実行する処理を示している。充電開始スイッチ１５８がユーザによってONされるとＤｃｎｔ１４０は起動して動作を開始する。ステップＳ１００においてＤｃｎｔ１４０は、システムの起動処理（充電ドッグ２を構成する回路ブロックの初期化、Ｄｃｎｔ１４０内部メモリの初期化など）を実行する。
【００２６】
ステップＳ１０２においてＤｃｎｔ１４０は、電源供給源のチェックを行なう。充電ドック2内の二次電池ｄ１５４からの電力で動作しているのか或はＡＣ／ＤＣアダプタ１７０からの電力で動作しているのか検出する。電源切換ＳＷ１５２の状態を検出することで電源の供給源を検出する。ステップＳ１０４においてＤｃｎｔ１４０は、電源切換ＳＷ１５２がＯＮならばＡＣ／ＤＣアダプタが接続されていると判定し動作処理をステップＳ１０４からステップＳ１０６へ移行し、電源切換ＳＷ１５２がＯＦＦならば二次電池ｄ１５４からの電力で動作していると判定し、ステップＳ１０４からステップＳ１１０へ動作処理を移行する。
【００２７】
ステップＳ１０６においてＤｃｎｔ１４０は、二次電池ｄ１５４の充電レベルを充電回路ｄ１５６から取得する。二次電池ｄ１５４の充電が必要な時は動作処理をステップＳ１０６からステップＳ１０８へ移行し、充電が不要ならば動作処理をステップＳ１０６からステップＳ１１０へ移行する。ステップＳ１０８においてＤｃｎｔ１４０は、充電回路ｄ１５６に対して充電動作を許可する。充電回路ｄ１５６はＡＣ／ＤＣアダプタの出力を利用して二次電池ｄ１５６の充電動作を行う。充電回路ｄ１５６は二次電池ｄ１５６が所定の充電レベルに達するまで充電を行い、自動的に充電動作を停止する。ステップＳ１０４、ステップＳ１０６、ステップＳ１０８の動作ステップによって、外部電源であるＡＣ／ＤＣアダプタが充電ドック２に接続された際には内部電源である二次電池ｄ１５４が自動的に充電されることになる。
【００２８】
ステップＳ１１０においてＤｃｎｔ１４０は、異物検出動作と通信初期動作を行う。異物検出動作において、所定の条件で一次コイル１４２を駆動すると共に電流を測定することで、充電ドック２に電子カメラ１（被充電装置）以外の異物（金属片など）が置かれていないか検出する。通信初期動作においては、一次コイル１４２を駆動して所定の信号をコイルから出力すると共に応答信号の検出を行ない、電子カメラ１と充電ドック２との通信回線を開く（通信動作を確立する）ことが可能であるか判定する。（Ｐｃｎｔ１２２における対応する動作は後述する図３のステップＳ２０６である）。ステップＳ１１２においてＤｃｎｔ１４０は、異物が検出されず且つ通信回線が開かれると、処理動作をステップＳ１１２からステップＳ１１６へ移行し、これら二つの条件が成立しなければ動作処理をステップＳ１１２からステップＳ１１３へ移行する。
【００２９】
ステップＳ１１４においてＤｃｎｔ１４０は、ステップＳ１１０とステップＳ１１２の処理動作を開始して所定時間が経過したか判定する。所定時間経過していないときはステップＳ１１４から再度異物検出動作と通信初期動作を行うためにステップＳ１１０へ移行し、所定時間が経過するとステップＳ１１４からステップＳ１２０へ動作を移行する。ステップＳ１２０においてＤｃｎｔ１４０は、異常処理対応処理を行う。すなわちＬＥＤ１６２を利用してユーザへの警告動作を行う。そしてステップＳ１２１においてＤｃｎｔ１４０は、システム停止処理を行い、その動作を止める。
【００３０】
ステップＳ１１６においてＤｃｎｔ１４０は、電子カメラ１（被充電装置）のＰｃｎｔ１２２と通信して情報の交換を行なう（Ｐｃｎｔ１２２における対応する動作は後述する図３のステップＳ２１０である）。例えば、電子カメラ1（Ｐｃｎｔ１２２）から充電ドック２（Ｄｃｎｔ１４０）へ送信される情報としては、カメラＩＤ（カメラ機種を特定するＩＤ）電源ＩＤ（カメラの電源部を特定するＩＤ。同じ機種のカメラであっても電源部の設計が変更されると特性が異なるために個別にＩＤを付与する）がある。更に電子カメラ１内に組み込まれた二次電池ｃ１３０の電池の種類と充電レベルに関する情報も送信される。
【００３１】
充電ドック２（Ｄｃｎｔ１４０）からへ電子カメラ1（Ｐｃｎｔ１２２）送信される情報としては、電力情報がある。充電ドック２は二つの電力源（二次電池ｄ１５４とＡＣ／ＤＣアダプタ１７０）で動作可能である。二次電池ｄ１５４で動作する際における送信可能な電力とＡＣ／ＤＣアダプタ１７０で動作する際に送信可能な電力は異なる。二次電池ｄ１５４を電源として電力を送信する際には送信効率の最大値となる電力の情報（Ｐｘ：図６参照）を送信し、ＡＣ／ＤＣアダプタ１７０を電源として電力を送信する際には送信可能な最大の電力情報（Ｐｍａｘ：図６参照）を送信する。
【００３２】
ステップＳ１１８においてＤｃｎｔ１４０は、ステップＳ１１６で受信した情報に基づき充電が可能な電子カメラであるか判断し、充電が出来ない場合はステップＳ１１８からステップＳ１２０へ移行する。また充電が出来る電子カメラであっても電池が充電されている場合は、充電動作は必要ないためステップＳ１１８からステップＳ１２０へ移行する。充電が可能な電子カメラが載置され電子カメラの電池は充電を必要とするときは、ステップＳ１１８からステップＳ１２２へ移行する。
【００３３】
ステップＳ１２０においてＤｃｎｔ１４０は、ＬＥＤ１６２を用いて“充電が出来ない”或は、“充電が必要無い”ことを示すための警告表示を行い。そしてステップＳ１２１においてＤｃｎｔ１４０は、システム停止処理を行い、その動作を止める。
【００３４】
ステップＳ１２２においてＤｃｎｔ１４０は、一次コイル１４２（送信コイル）の駆動条件を設定する。駆動条件はＦｌａｓｈＲｏｍ１４０ａに制御パラメータとして格納されている。例えば図５に示したごときテーブルデータがＦｌａｓｈＲｏｍ１４０ａに記憶されている。
【００３５】
テーブルデータは一つの電源ＩＤ（IDentification）に対して送信効率を最大にするための条件（一次コイル１３２の駆動電圧と駆動周波数）と最大の送信電力Ｐｍａｘと送信効率を最大時の送信電力Ｐｘが格納されている。カメラの機種を示すカメラＩＤに対して電源ＩＤが複数ある理由は、カメラの生産中に電源回路を構成する部品が変更され特性が変化した為に一つのカメラＩＤに対して一つの電源ＩＤでは対処できなくなったことを示す。主に二次コイル１３２の設計変更による特性変化である。カメラの電源部を特定するＩＤとして二つのＩＤを本実施例では設定している。本実施例では、送信効率を最大にするための条件に関する情報（一次コイルの駆動電圧と駆動周波数）を充電ドック２側（ＦｌａｓｈＲｏｍ１４０ａ）に記憶させる構成としたが、この情報を電子カメラ１側（ＦｌａｓｈＲｏｍ１２２ａ）に記憶する構成にしても良い。一次コイル１３２の駆動電圧と駆動周波数の最適な設定値はカメラの動作状態によっても異なる（動作に応じて充電ドック２から見た負荷が変化する）ため、カメラの動作状態に応じた駆動条件をテーブルデータに記憶すれば、更に最適な条件で一次コイル１３２を駆動できる。
【００３６】
例えば載置された電子カメラ１から受信したカメラＩＤがＣｘｘｘｘ０１であり、電源ＩＤがＰｘｘｘｘ０３であるとする。二次電池ｄ１５４の出力で動作する場合は、効率が最大となる条件で電力を送信しなければならない。そこでテーブルデータに基づき、一次コイル１４２の駆動条件として、駆動電圧を４．９０（Ｖ）に設定し駆動周波数を１１０ｋ（Ｈｚ）に設定すればよい。ＡＣ／ＤＣアダプタ１７０の出力で動作する場合は、一次コイル１４２と二次コイル１３２の定格で決まる電力の最大値で送信可能であり、テーブルデータに基づき６．００（Ｗ）が駆動条件となる。この最大電力を超えない範囲で一次コイル１４２の駆動電圧と駆動周波数を設定すればよい。ステップＳ１２４においてＤｃｎｔ１４０は、この駆動条件を駆動信号生成回路へ設定して一次コイル１４２の駆動を開始する。すなわち充電ドック２から電子カメラ１への電力送信動作が開始される。
【００３７】
ステップＳ１２６は、この電力送信動作中に、Ｄｃｎｔ１４０が電子カメラ１（Ｐｃｎｔ１２２）と周期的に行なう通信動作である（Ｐｃｎｔ１２２における対応する動作は後述する図３のステップＳ２１８である）。この通信動作より電子カメラ１中の二次電池ｃ１３０の充電レベルに関する情報を取得できる。ステップＳ１２８においてＤｃｎｔ１４０は、この情報に基づき電力送信動作を継続するか判定する。そして電力送信動作が必要と判定されると動作ステップＳ１２８から動作ステップＳ１３０へ移行し、電力送信動作が不要と判定されると動作ステップＳ１２８から動作ステップＳ１３４へ移行し、電力送信を止める。
【００３８】
電力送信動作を二次電池ｄ１５４の出力より実行している時は、二次電池ｄ１５４の容量を調べる必要がある。ステップＳ１３０においてＤｃｎｔ１４０は、二次電池ｄ１５４の出力で電力送信動作をしているか判定し、二次電池ｄ１５４の出力で動作している時は動作ステップＳ１３２へ移行し、ＡＣ／ＤＣアダプタの出力で動作している時はＳ１２６へ移行する。
【００３９】
ステップＳ１３２においてＤｃｎｔ１４０は、二次電池ｄ１５４の容量を調べ電力送信動作が可能であるか判定する。そして電力送信動作が可能であれば動作ステップＳ１２６へ移行して電力送信を継続し、電力送信動作が不可能であれば動作ステップＳ１３４へ移行し電力送信を止める。
【００４０】
ステップＳ１３４においてＤｃｎｔ１４０は、電子カメラ１に対して電力送信動作の停止を告知する（Ｐｃｎｔ１２２は、後述する図３のステップＳ２１８でこの告知を受信する）。そしてステップＳ１３６においてＤｃｎｔ１４０は、駆動信号生成回路１４８の動作を停止する。この処理動作によって電力の送信動作は停止する。
【００４１】
電子カメラ１の二次電池ｃ１３０の充電動作が終了しても、充電ドック２の二次電池ｄ１５４の充電動作中（ＡＣ／ＤＣアダプタ１７０の電力で動作中）ならば、この充電動作は継続しなければならない。ステップＳ１３８においてＤｃｎｔ１４０は、充電回路ｄ１５６の出力に基づき二次電池ｄ１５４の充電動作中であるか判定する。二次電池ｄ１５４の充電動作がなされていない時、Ｄｃｎｔ１４０は、システム停止処理をために動作ステップＳ１２１へ移行する。一方充電動作中であればＤｃｎｔ１４０は、動作ステップＳ１３８から動作ステップＳ１４０へ移行し、充電回路ｄ１５６の充電動作が終了するまで待機する。そして充電動作の終了を検出するとＤｃｎｔ１４０は、システム停止処理のためにステップＳ１２１へ移行する。
【００４２】
図３に示されたフローチャートは、電子カメラ１内のＰｃｎｔ１２２（図１参照）がＦｌａｓｈＲｏｍ１２２ａに記録されたプログラムコードに基づき実行する処理を示している。
【００４３】
Ｐｃｎｔ１２２の起動要因は２つある。第一の起動要因は電子カメラ１の電源ＳＷ（カメラ操作スイッチ１２０の一つ）がユーザ操作によってＯＮされたことを検出した場合である。第二の起動要因は電子カメラ１が充電ドック２に載置され、充電ドック２からの通信動作を検出した場合である。いずれかの起動要因によってＰｃｎｔ１２２は動作を開始し、ステップＳ２００においてＰｃｎｔ１２２は起動処理（Ｐｃｎｔ１２２の周辺回路の初期化、Ｐｃｎｔ１２２内部メモリの初期化など）を行う。
【００４４】
ステップＳ２０２においてＰｃｎｔ１２２は、充電回路ｃ１２８を介して電子カメラ１内部に配置された二次電池ｃ１３０の容量情報を取得する。
【００４５】
ステップＳ２０４においてＰｃｎｔ１２２は、電源ＳＷのＯＮによる起動した場合は、動作をステップＳ２０４からステップＳ２５０へ移行し、充電ドックからの通信開始を検出して起動した場合は、動作をステップＳ２０４からステップＳ２０６へ移行する。カメラの通常操作においては、ユーザは先ず電源ＳＷをＯＮする。このＳＷ操作によりＰｃｎｔ１２２が起動した際にＰｃｎｔ１２２は、動作をステップＳ２０４がステップＳ２５０へ移行する。ユーザがカメラの電池を充電するために充電ドック２へ電子カメラ１を置きそして充電開始スイッチをＯＮすると充電ドック２は電子カメラ１と通信を開始する。この通信開始を検出した際にＰｃｎｔ１２２は、動作をステップＳ２０４がステップＳ２０６へ移行する。
【００４６】
ステップＳ２５０〜ステップＳ２５８においてＰｃｎｔ１２２によって実行される動作は二次電池ｃ１３０の充電動作を含まない電子カメラ１の電源管理である。ステップＳ２５０においてＰｃｎｔ１２２はＤＣ／ＤＣコンバータ１３４を制御し、二次電池ｃ１２８の出力を所定の電圧へ変換して電子カメラ１内部の各回路ブロックへ供給する。この動作によってＳｃｎｔ１００も動作可能な状態となる。そしてステップＳ２５２において、Ｐｃｎｔ１２２はＳｃｎｔ１００と周期的な通信動作を行う。ステップＳ２５４においてＰｃｎｔ１２２はＳｃｎｔ１００からシステム停止の要求を受信したか判定する。Ｓｃｎｔ１００はユーザによって電源ＳＷをＯＦＦする操作が行なわれるとこの要求をＰｃｎｔ１２２へ送信する。この要求を受けると、ステップＳ２５８においてＰｃｎｔ１２２はカメラシステムの動作を止めるためにＤＣ／ＤＣコンバータ１３４の動作を止める。そしてステップＳ２６２に移行してＰｃｎｔ１２２は停止処理をおこなう。この動作によって電子カメラ１内の回路は動作を完全に停止する。一方動作がステップＳ２５４からステップＳ２５６へ移行するとＰｃｎｔ１２２はＳｃｎｔ１００からの要求に応じた動作を行う。例えば、二次電池ｃ１３０の容量検査（バッテリチェック動作）を行い、二次電池ｃ１３０の容量に関する情報を取得してＳｃｎｔ１００へ送信する。
【００４７】
Ｐｃｎｔ１２２は、ステップＳ２０６において充電ドック２（Ｄｃｎｔ１４０）との通信初期動作を行い、ステップＳ２０８において充電ドック２（Ｄｃｎｔ１４０）との通信動作が確立したか判定する（Ｄｃｎｔ１４０における対応する動作は前述した図２のステップＳ１１０である）。Ｐｃｎｔ１２２の処理動作は、通信動作が確立するとステップＳ２０８からステップＳ２１０へ移行し、通信動作が確立出来ないとステップＳ２０８からステップＳ２６２へ移行する。ステップＳ２６２へ移行するとＰｃｎｔ１２２は停止処理をおこない、電子カメラ１の動作は停止する。
【００４８】
ステップＳ２１０においてＰｃｎｔ１２２は、充電ドック２のＤｃｎｔ１４０と通信して情報の交換を行なう（Ｄｃｎｔ１４０における対応する動作は前述した図２のＳ１１６である。例えば、電子カメラ1から充電ドック２へ送信される情報としては、カメラＩＤ、電源ＩＤがある。また二次電池ｃ１３０の電池の種類と充電レベルに関する情報も送信される。充電ドック２からへ電子カメラ1送信される情報としては、電力情報がある。充電ドック２は二つの電力源で動作可能である。二次電池ｄ１５４を電源として電力を送信する際には送信効率の最大値となる電力の情報（Ｐｘ：図６参照）を送信し、ＡＣ／ＤＣアダプタ１７０を電源として電力を送信する際には送信可能な最大の電力情報（Ｐｍａｘ：図６参照）を送信する。電子カメラ１は送信される電力の大きさに応じて動作を変更する。
【００４９】
ステップＳ２１２においてＰｃｎｔ１２２は、ステップＳ２１０で受信した情報に基づき充電動作が可能であるか判断し、充電が出来ない場合はステップＳ２１２からステップＳ２６０へ移行し、充電が出来る場合はステップＳ２１２からステップＳ２１４へ移行する。充電出来ない場合としては、電子カメラがこのカメラの充電動作に適合しない充電ドックに載置されている場合があり、電子カメラがこのカメラの充電動作に適合する充電ドックに載置されているが電池が既に充電されている場合がある。充電できる場合としては、電子カメラがこのカメラの充電動作に適合する充電ドックに載置され更にカメラ内の電池は充電を必要とする場合である。
【００５０】
ステップＳ２６０へ移行した際にはＰｃｎｔ１２２はＤｃｎｔ１４０と通信し、充電ドック２からの電力送信動作の停止に関する情報を受信する（この情報は図２のステップＳ１３２においてＤｃｎｔ１４０から送信される）。そしてステップＳ２６２において停止処理を行なう。
【００５１】
ステップＳ２１４へ移行した際にはてＰｃｎｔ１２２はＤＣ／ＤＣコンバータ１３４の動作を制御し、二次電池ｃ１２８の出力を所定の電圧へ変換して電子カメラ１内部の各回路ブロックへ供給する。この動作によってＳｃｎｔ１００の動作も可能となる。
【００５２】
ステップＳ２１６においてＰｃｎｔ１２２は、充電回路ｃ１２８による二次電池ｃ１３０の充電動作を許可する。すなわち充電ドック２から供給される電力による電子カメラ１の充電動作（非接触充電動作）が開始される。充電回路ｃ１２８は二次電池ｃ１３０の充電動作を自動的実行し、充電レベルが規定値に達すると動作を止める。この二次電池ｃ１３０への充電中に、Ｐｃｎｔ１２２はＤｃｎｔ１４０との通信動作（ステップ２１８）及びＳｃｎｔ１００との通信動作（ステップＳ２２２）を周期的に行う。
【００５３】
ステップＳ２１８においてＰｃｎｔ１２２はＤｃｎｔ１４０と通信動作を行う。この通信動作において、Ｐｃｎｔ１２２は、充電ドック２が二次電池ｄ１５６で動作中ならば、二次電池ｄ１５６の残り容量に関する情報を取得できる。そしてステップＳ２２０においてＰｃｎｔ１２２は、この情報に基づき電子カメラ１の二次電池ｃ１２８への充電動作の継続が可能か判定する。充電ドック２の二次電池ｄ１５６の容量が無くなり電子カメラ１の二次電池ｃ１２８への充電動作が出来なくなると、ステップＳ２２０からＳ２２１へ移行し、充電動作が可能ならば、ステップＳ２２０からＳ２２２へ移行する。
【００５４】
ステップＳ２２１へ移行した際にＰｃｎｔ１２２は充電回路ｃ１２８の充電動作を禁止（停止）する。更にステップＳ２６０においてＤｃｎｔ１４０と通信して充電ドック２の電力の送信動作を停止させ、ステップＳ２６２において停止処理を行う。
【００５５】
ステップＳ２２２においてＰｃｎｔ１２２は、Ｓｃｎｔ１００が動作中であるか判定し、動作中ならばステップ２２２からステップＳ２２４へ移行してＳｃｎｔ１００との通信動作を行い、動作中で無いならばステップ２２２からステップＳ２３２へ移行して二次電池ｃ１３０への充電が終了したか判定する。Ｐｃｎｔ１２２は第二の起動要因で起動（充電ドック２からの通信によって起動）した際にもＳｃｎｔ１００を動作させて電子カメラ１通常の動作が可能となる。しかし通常の動作中にユーザが動作を止めるために電源ＳＷを操作するとカメラとしての通常動作は停止する。すなわちＳｃｎｔ１００はその動作をとめる。この場合はステップＳ２２４からステップＳ２３０の処理動作は実行されない。
【００５６】
ステップＳ２２４においてＰｃｎｔ１２２はＳｃｎｔ１００との通信動作を行う。Ｓｃｎｔ１００からの要求が“システムの停止”ならば、Ｐｃｎｔ１２２は動作をステップＳ２２６からステップＳ２２８へ移行し、ＤＣ／ＤＣコンバータ１３４の動作を止める。この動作によってＳｃｎｔ１００は動作を止める。電子カメラとしての動作中にユーザがカメラ操作スイッチ１２０の一つである電源ＳＷを操作するとＳｃｎｔ１００は“システムの停止”の要求をＰｃｎｔ１２２へ送信する。Ｓｃｎｔ１００からの要求が“システムの停止”以外ならば、Ｐｃｎｔ１２２は動作をステップＳ２２６からステップＳ２３０へ移行する。
【００５７】
ステップＳ２３０においてＰｃｎｔ１２２は、Ｓｃｎｔ１００の要求に従い以下のような動作を行う。二次電池ｃ１３０の充電動作に関する情報を要求されると、二次電池ｃ１３０の現在の充電レベル、充電動作の終了時間等の情報をＳｃｎｔ１００へ送信する。また充電ドック２に関する情報を要求されると、充電ドック２の電力源（二次電池ｄ１５４で動作しているかＡＣ／ＤＣアダプタで動作しているか）に関する情報、充電ドック２の送信電力（図６におけるＰｘ、Ｐｍａｘ）に関する情報等をＳｃｎｔ１００へ送信する。
【００５８】
ステップＳ２３２においてＰｃｎｔ１２２は充電回路ｃ１２８が充電動作を実行中であるか判定し、充電動作中ならば、Ｐｃｎｔ１２２は動作をステップＳ２３２からＳ２１８へ移行し、充電動作が終了しているならば、動作をステップＳ２３２からＳ２３４へ移行する。
ステップＳ２３４においてＰｃｎｔ１２２はＳｃｎｔ１００が動作中であるか判定し、動作中のときは、ステップＳ２３４からステップＳ２５２へ移行し、動作していないときは、ステップＳ２３４からステップＳ２６０へ移行する。
【００５９】
図４に示されたフローチャートは、電子カメラ１内のＳｃｎｔ１００（図１参照）がＦｌａｓｈＲｏｍ１１６に記録されたプログラムコードに基づき実行する処理を示している。上述したようにＰｃｎｔ１２２は二つの起動要因（カメラ操作スイッチ１２０の一つである電源ＳＷがＯＮしたことによる起動、充電ドック２からの通信による起動）を持ち、Ｐｃｎｔ１２２は何れの要因で起動してもＤＣ／ＤＣコンバータ１３４を動作させてＳｃｎｔ１００を起動させる。電子カメラ１の動作は、電力の供給方法を観点とすると大別して３つの動作状態に分類できる。第一の動作状態（電子カメラ１のみでの動作）とは、電子カメラ１内部に組み込まれた二次電池ｃ１３０の電力で動作する状態である。第二の動作状態（電子カメラ１が充電ドック載置された状態での動作）とは、充電ドック２からの送信電力で動作する状態であり、充電ドック２はその内部に組み込まれた二次電池ｄ１５４の電力で動作している状態である。第三の動作状態（電子カメラ１が充電ドック載置された状態での動作）とは、充電ドック２からの送信電力で動作する状態であり、充電ドック２はＡＣ／ＤＣアダプタ１７０の電力で動作している状態である。
【００６０】
Ｄｃｎｔ１２２によってＤＣ／ＤＣコンバータ１３４の動作を許可するとＳｃｎｔ１００は動作を開始する。ステップＳ３００においてＳｃｎｔ１００は、システム起動処理を行う。Ｓｃｎｔ１００に接続された周辺回路の初期設定、メモリの初期設定等を行なう。
【００６１】
ステップＳ３０２においてＳｃｎｔ１００は、Ｐｃｎｔ１２２と通信し、電源に関する情報を取得する。ステップＳ３０４においてＳｃｎｔ１００は、充電ドック２を電源にして動作しているのか、二次電池ｃ１３０を電源にして動作しているのか判定し、充電ドック２が電源ならばＳｃｎｔ１００の動作はステップＳ３０４からステップＳ３０６へ移行し、二次電池ｃ１３０が電源ならばＳｃｎｔ１００の動作はステップＳ３０４からステップＳ３１０へ移行する。
【００６２】
ステップＳ３０６におけるＳｃｎｔ１００の動作は、第一の動作状態に対応する。この動作状態において、Ｓｃｎｔ１００は通常のカメラ動作を実行する。ステップＳ３０８においてＳｃｎｔ１００は、電源ＳＷの状態を検出し、電源ＳＷがＯＦＦしたこと検出するとカメラ動作を停止するためにステップＳ３２０へ移行し、電源ＳＷがＯＮであることを検出するとカメラ動作を継続するためステップＳ３０６へ移行する。
【００６３】
ステップＳ３１０においてＳｃｎｔ１００は、ステップＳ３０２において取得された充電ドック２に関係する情報に基づき、充電ドック２が二次電池ｄ１５４を電源としているか或はＡＣ／ＤＣアダプタ１７０を電源としているかを判定する。充電ドック２が二次電池ｄ１５４を電源としている場合、Ｓｃｎｔ１００はステップＳ３１０からステップＳ３１２へ移行し、充電ドック２がＡＣ／ＤＣアダプタ１７０を電源としている場合、Ｓｃｎｔ１００はステップＳ３１０からステップＳ３１６へ移行する。
【００６４】
ステップＳ３１２におけるＳｃｎｔ１００の動作は、第二の動作状態に対応する。この動作状態において、Ｓｃｎｔ１００は制限付のカメラ動作を実行する。ステップＳ３１４においてＳｃｎｔ１００は、電源ＳＷの状態を検出し、電源ＳＷがＯＦＦしたこと検出するとカメラ動作を停止するためにステップＳ３２０へ移行し、電源ＳＷがＯＮであることを検出するとカメラ動作を継続するためステップＳ３１２へ移行する。第二の動作状態では充電ドック２は二次電池ｄ１５４の電力で動作している。従って充電ドック２は、電子カメラ１の二次電池ｃ１３０の充電動作とカメラの通常動作を共に実行できる電力を供給出来ない。カメラ動作において消費電力が大きい動作は出来ない。このような動作としては、例えば撮像素子の駆動動作と画像表示動作の双方を必要な動作状態（ライブビュー動作、動画撮影動作、静止画撮影動作）があり、これら動作は、実行出来ない。しかし画像データをメモリカードから読み出し表示する動作（再生動作）の如き動作は可能である。
【００６５】
ステップＳ３１６におけるＳｃｎｔ１００の動作は、第三の動作状態に対応する。この動作状態において、Ｓｃｎｔ１００は通常のカメラ動作を実行する。ステップＳ３１８においてＳｃｎｔ１００は、電源ＳＷの状態を検出し、電源ＳＷがＯＦＦしたこと検出するとカメラ動作を停止するためにステップＳ３２０へ移行し、電源ＳＷがＯＮであることを検出するとカメラ動作を継続するためステップＳ３１６へ移行する。第三の動作状態では充電ドック２はＡＣ／ＤＣアダプタ１７０の電力で動作している。従って充電ドック２は、電子カメラ１の二次電池ｃ１３０の充電動作とカメラの通常動作を共に実行できる電力を供給出来る。
【００６６】
ステップＳ３２０においてＳｃｎｔ１００は、システム停止処理を行う。カメラ動作状態に関する情報をＦｌａｓｈＲｏｍ１１６へ格納する、周辺回路の動作を停止する等の処理が実行される。ステップＳ３２２においてＳｃｎｔ１００は、Ｐｃｎｔ１２２へＤＣ／ＤＤＣコンバータ１３４の停止を指令する。この動作によってＳｃｎｔ１００は動作を止める。
【００６７】
本発明は、上述した電子カメラのみならず二次電池を有し非接触で充電動作が可能な電子機器及びこれら電子機器に充電動作可能な充電器に適応できる。例えば、デジタルフォトビューワー、デジタルフォトフレーム、携帯電話、ＩＣレコーダ、リモコン装置、パーソナルコンピュータ、ＰＤＡ等の電子機器および二次電池で駆動されるアクチュエータを動力源とする機械システム（電気自動車）等にも適用可能である。
【符号の説明】
【００６８】
１  …  電子カメラ
１００  …  システムコントローラ
１０２  …  撮影レンズ
１０４  …  撮像素子
１０６  …  撮像素子インターフェース回路
１０８  …  表示回路
１１０  …  モニタ
１１２  …  メモリカード
１１４  …  SDRAM
１１６  …  Flash Rom
１１８  …  USB端子
１１９  …  補助光源ユニット
１２０  …  カメラ操作スイッチ
１２２  …  電源コントローラ
１２４  …  通信回路ｃ
１２６  …  整流回路
１２８  …  充電回路ｃ
１３０  …  二次電池ｃ
１３２  …  二次コイル
１３４  …  DC／DCコンバータ
２  …  充電ドック
１４０  …  充電ドックコントローラ
１４２  …  一次コイル
１４４  …  ドライバー回路
１４６  …  通信回路ｄ
１４８  …  駆動信号生成回路
１５０  …  DCプラグ
１５２  …  電源切換SW
１５４  …  二次電池ｄ
１５６  …  充電回路ｄ
１５８  …  充電開始スイッチ
１６０  …  USB端子
１７０  …  AC／DCアダプタ
１７２  …  DCジャック
【図１】
2011035964.tif 000003
【図２】
2011035964.tif 000004
【図３】
2011035964.tif 000005
【図４】
2011035964.tif 000006
【図５】
2011035964.tif 000007
【図６】
2011035964.tif 000008